(57)【要約】【課題】欲しがる人が多くなって宣伝効果を高めることができる低コストの販促品を提供する。【解決手段】販促用防水袋セット１は、防水袋２と、表示物３とを備える。防水袋２は、開閉可能な開口部２ａを有する。防水袋２の少なくとも一部は、透明部２Ａａである。表示物３には、広告を含む表示内容が記載される。表示物３は、前記表示内容の少なくとも一部が防水袋２の透明部２Ａａを介して外部に臨むように、防水袋２内に収容される。【選択図】図１
2017036088.tif 000002
【特許請求の範囲】
【請求項１】
開閉可能な開口部を有し、少なくとも一部が透明部である防水袋と、
広告を含む表示内容が記載され、前記表示内容の少なくとも一部が前記透明部を介して外部に臨むように前記防水袋内に収容された表示物と、
を備えたことを特徴とする販促用防水袋セット。
【請求項２】
前記防水袋は、背面側カメラレンズを有する携帯電子機器が防水対象として用いられるものであり、
前記透明部は、前記袋体の前面及び背面のいずれか一方のみに配置された、
ことを特徴とする請求項１記載の販促用防水袋セット。
【請求項３】
前記防水袋は、前記防水袋内に収容された前記表示物に記載された前記表示内容の一部を目隠しする不透明部を有することを特徴とする請求項１又は２記載の販促用防水袋セット。
【請求項４】
前記透明部の少なくとも一部は有色透明部であり、
前記表示内容のうち前記有色透明部を介して外部に臨む部分の一部が、前記有色透明部と同色で記載された、
ことを特徴とする請求項１乃至３のいずれかに記載の販促用防水袋セット。
【請求項５】
前記表示物に芳香物質が付着されるか、あるいは、芳香物質が付着された被付着物が前記防水袋内に収容されたことを特徴とする請求項１乃至４のいずれかに記載の販促用防水袋セット。
【請求項６】
前記表示物と一体化された返信用葉書、あるいは、前記表示物と別体の返信用葉書が、前記防水袋内に収容されたことを特徴とする請求項１乃至５のいずれかに記載の販促用防水袋セット。
【請求項７】
前記防水袋が紫外線遮断特性を有するシート材を用いて構成されたことを特徴とする請求項１乃至６のいずれかに記載の販促用防水袋セット。
【請求項８】
前記表示物は薄板状部材で構成され、
前記薄板状部材には、前記薄板状部材を所定の物品に仕立てるための、ミシン目、折り筋及び切り込みのうちの１種以上が形成された、
ことを特徴とする請求項１乃至７のいずれかに記載の販促用防水袋セット。
【請求項９】
前記防水袋又は前記表示物に、１次元バーコード、２次元バーコード又はＩＣタグが設けられたことを特徴とする請求項１乃至８のいずれかに記載の販促用防水袋セット。
【請求項１０】
剥離紙で覆われた粘着剤が一方の面に設けられた磁石シートが、前記防水袋内に収容されたことを特徴とする請求項１乃至９のいずれかに記載の販促用防水袋セット。
【請求項１１】
前記防水袋は、前記開口部の側方に突出した突片を有し、
前記突片に貫通孔が形成されたことを特徴とする請求項１乃至１０のいずれかに記載の販促用防水袋セット。
【請求項１２】
前記防水袋は、前記開口部において対向するように設けられ前記開口部を水密的に開閉可能にする第１及び第２のジッパーテープを有し、
前記第１及び第２のジッパーテープを構成する材料が前記第１及び第２のジッパーテープから前記突片まで延在して、前記突片において互いにシールされ、
前記突片における前記貫通孔の周囲に前記材料が存在する、
ことを特徴とする請求項１１記載の販促用防水袋セット。
【発明の詳細な説明】
【技術分野】
【０００１】
本発明は、販促用防水袋セットに関するものである。
【背景技術】
【０００２】
従来から、販促品として、ポケットティッシュや団扇などが配布されている。
【０００３】
また、下記特許文献１には、いわゆるスマートフォン等の携帯電子機器用の防水ケースが開示されている。この防水ケースは、前記携帯電子機器の正面側をカバーする第１のケース部材と、前記携帯電子機器の背面側をカバーする第２のケース部材とから構成されている。
【先行技術文献】
【特許文献】
【０００４】
【特許文献１】特開２０１３−２１１８４４号公報
【発明の概要】
【発明が解決しようとする課題】
【０００５】
しかしながら、ポケットティッシュや団扇などの販促品は、陳腐化しており、欲しがる人も少なくなっているため、宣伝効果が低くなってきている。
【０００６】
また、前記特許文献１に開示された防水ケースでは、前記第１及び第２のケース部材で構成されているため、販促品としては高価なものとなってしまい、販促品として用いることができない。
【０００７】
本発明は、このような事情に鑑みてなされたもので、欲しがる人が多くなって宣伝効果を高めることができる低コストの販促品を提供することを目的とする。
【課題を解決するための手段】
【０００８】
前記課題を解決するための手段として、以下の各態様を提示する。第１の態様による販促用防水袋セットは、開閉可能な開口部を有し、少なくとも一部が透明部である防水袋と、広告を含む表示内容が記載され、前記表示内容の少なくとも一部が前記透明部を介して外部に臨むように前記防水袋内に収容された表示物と、を備えたものである。
【０００９】
防水袋は、利便性が高い上に販促品として斬新であるため、欲しがる人が多くなる。このため、この第１の態様によれば、宣伝効果が高まる。また、防水袋は、袋体であるので、前記特許文献１に開示された防水ケースのように第１及び第２のケース部材で構成する場合に比べて、コストを低減することができる。のみならず、販促品としては、完全防止まで要求されることなく、簡易な防水性があれば十分であるため、この点からも、防水袋のコストを低減することができる。また、前記表示物としては、紙やその他のシートなどを用いることができるので、そのコストも低い。なお、前記表示物は、例えば、折り畳んでいない１枚のシートでもよいし、２つ折り以上に折り畳んだシートでもよい。
【００１０】
以上から、前記第１の態様によれば、欲しがる人が多くなって宣伝効果を高めることができる低コストの販促品としての販促用防水袋セットを提供することができる。
【００１１】
第２の態様による販促用防水袋セットは、前記第１の態様において、前記防水袋は、背面側カメラレンズを有する携帯電子機器が防水対象として用いられるものであり、前記透明部は、前記袋体の前面及び背面のいずれか一方のみに配置されたものである。
【００１２】
この第２の態様によれば、背面側カメラレンズを有する携帯電子機器を防水対象として用いる場合において、前記透明部が袋体の前面及び背面のいずれか一方のみに配置されるので、携帯電子機器の前面に表示部や操作部が配置されることから、携帯電子機器の前面が透明部の側となるように携帯電子機器が防水袋内に収容される。このため、前記第２の態様によれば、必然的に、背面側カメラレンズが防水袋の不透明部で目隠しされるので、盗撮を防止することができる。
【００１３】
第３の態様による販促用防水袋セットは、前記第１又は第２の態様において、前記防水袋は、前記防水袋内に収容された前記表示物に記載された前記表示内容の一部を目隠しする不透明部を有するものである。
【００１４】
この第３の態様によれば、防水袋内に収容された前記表示物に記載された前記表示内容の一部が目隠しされるので、表示物を防水袋から取り出すことで、それまで隠されていた表示内容も見ることができる。これを利用することで多様な宣伝効果等を得ることができる。例えば、クイズの質問の回答のみを目隠ししておいたり、抽選結果（当たり・外れ、金賞・銀賞・銅賞など）のみを目隠ししておいたりすることで、当該販促用防水袋セットの魅力を高めることができる。
【００１５】
第４の態様による販促用防水袋セットは、前記第１乃至第３のいずれかの態様において、前記透明部の少なくとも一部は有色透明部であり、前記表示内容のうち前記有色透明部を介して外部に臨む部分の一部が、前記有色透明部と同色で記載されたものである。
【００１６】
この第４の態様によれば、防水袋内に収容された前記表示物に記載された前記表示内容のうち有色透明部と同色で記載されたものは、目隠しされたのと同様に隠されることとなり、表示物を防水袋から取り出すことで、それまで隠されていた表示内容も見ることができる。したがって、この第４の態様によっても、前記第３の態様と同様に、多様な宣伝効果等を得ることができる。
【００１７】
第５の態様による販促用防水袋セットは、前記第１乃至第４のいずれかの態様において、前記表示物に芳香物質が付着されるか、あるいは、芳香物質が付着された被付着物が前記防水袋内に収容されたものである。
【００１８】
この第５の態様によれば、当該販促用防水袋セットの配布を受けた者は、防水袋の開口部を開くことで、芳香物質による良い匂いを嗅ぐことができ、より良い印象を持つ。したがって、前記第５の態様によれば、より宣伝効果が高まる。
【００１９】
第６の態様による販促用防水袋セットは、前記第１乃至第５のいずれかの態様において、前記表示物と一体化された返信用葉書、あるいは、前記表示物と別体の返信用葉書が、前記防水袋内に収容されたものである。
【００２０】
この第６の態様によれば、前記返信用葉書を利用することで、例えば、容易にアンケートを取ったり、容易に懸賞に応募させたりすることができる。
【００２１】
第７の態様による販促用防水袋セットは、前記第１乃至第６のいずれかの態様において、前記防水袋が紫外線遮断特性を有するシート材を用いて構成されたものである。
【００２２】
この第７の態様によれば、防水袋内に収容する防水対象物が、紫外線により劣化等し易い物（例えば、薬品等）であってもその劣化を防止することができ、防水袋を例えばピルケース等として利用することができる。
【００２３】
第８の態様による販促用防水袋セットは、前記第１乃至第７のいずれかの態様において、前記表示物は薄板状部材で構成され、前記薄板状部材には、前記薄板状部材を所定の物品に仕立てるための、ミシン目、折り筋及び切り込みのうちの１種以上が形成されたものである。
【００２４】
この第８の態様によれば、前記表示物を前記所定の物品（例えば、スマートフォン用スタンド）に仕立てることができるため、当該販促用防水袋セットの魅力を高めることができる。
【００２５】
第９の態様による販促用防水袋セットは、前記第１乃至第８のいずれかの態様において、前記防水袋又は前記表示物に、１次元バーコード、２次元バーコード又はＩＣタグが設けられたものである。
【００２６】
この第９の態様によれば、１次元バーコード、２次元バーコード又はＩＣタグを利用することで、例えば、チケットや入場管理などに使用することができる。
【００２７】
第１０の態様による販促用防水袋セットは、前記第１乃至第９のいずれかの態様において、剥離紙で覆われた粘着剤が一方の面に設けられた磁石シートが、前記防水袋内に収容されたものである。
【００２８】
この第１０の態様によれば、前記剥離紙を剥がして前記磁石シートを防水袋に貼り付けることで、防水対象を防水袋内に収容したものを、前記磁石シートの磁力で冷蔵庫等に簡単に貼り付けることができる。したがって、例えば、防水対象がスマートフォン等の携帯電子機器である場合、濡れた手で操作することができ、キッチンで携帯電子機器により表示させたレシピ等を見たりすることができる。
【００２９】
第１１の態様による販促用防水袋セットは、前記第１乃至第１０のいずれかの態様において、前記防水袋は、前記開口部の側方に突出した突片を有し、前記突片に貫通孔が形成されたものである。
【００３０】
この第１１の態様によれば、前記貫通孔に、紐やカラビナやリング等を通したり、ストラップ等を取り付けたりすることができる。
【００３１】
第１２の態様による販促用防水袋セットは、前記第１１の態様において、前記防水袋は、前記開口部において対向するように設けられ前記開口部を水密的に開閉可能にする第１及び第２のジッパーテープを有し、前記第１及び第２のジッパーテープを構成する材料が前記第１及び第２のジッパーテープから前記突片まで延在して、前記突片において互いにシールされ、前記突片における前記貫通孔の周囲に前記材料が存在するものである。
【００３２】
この第１２の態様によれば、前記突片まで延在した前記第１及び第２のジッパーテープを構成する材料によって、前記貫通孔の周囲が補強されるので、ハトメ等の補強部材を特別に設ける必要がなくなる。したがって、前記第１２の態様によれば、ハトメ等の補強部材を特別に設けて前記貫通孔の周囲を補強する場合に比べて、コスト低減を図ることができる。
【発明の効果】
【００３３】
本発明によれば、欲しがる人が多くなって宣伝効果を高めることができる低コストの販促品を提供することができる。
【図面の簡単な説明】
【００３４】
【図１】本発明の第１の実施の形態による販促用防水袋セットの前面側から見た概略正面図である。
【図２】図１中のＡ−Ａ’線に沿った概略断面図である。
【図３】図１に示す販促用防水袋セットの背面側から見た概略背面図である。
【図４】図１に示す販促用防水袋セットの配布後の使用状態の一例を示す前面側から見た概略正面図である。
【図５】図４中のＤ−Ｄ’線に沿った概略断面図である。
【図６】本発明の第２の実施の形態による販促用防水袋セットの背面側から見た概略背面図である。
【図７】本発明の第３の実施の形態による販促用防水袋セットの表示物を示す概略正面図である。
【図８】図７に示す表示物の、スマートフォン用スタンドに仕立てる途中の状態を示す概略正面図である。
【図９】図７に示す表示物を用いて仕立てられたスマートフォン用スタンドの使用状態を示す概略斜視図である。
【図１０】本発明の第４の実施の形態による販促用防水袋セットの前面側から見た概略背面図である。
【図１１】図１０に示す販促用防水袋セットの背面側から見た概略背面図である。
【発明を実施するための形態】
【００３５】
以下、本発明による販促用防水袋セットについて、図面を参照して説明する。
【００３６】
［第１の実施の形態］
【００３７】
図１は、本発明の第１の実施の形態による販促用防水袋セット１の前面側から見た概略正面図であり、図２中のＢ矢視図に相当している。図２は、図１中のＡ−Ａ’線に沿った概略断面図である。図３は、図１に示す販促用防水袋セット１の背面側から見た概略背面図であり、図２中のＣ矢視図に相当している。
【００３８】
本実施の形態による販促用防水袋セット１は、水密的に開閉可能な開口部２ａを有し、少なくとも一部が透明部２Ａａである防水袋２と、広告を含む表示内容（図示せず）が記載され、前記表示内容の少なくとも一部が防水袋２の透明部２Ａａを介して外部に臨むように防水袋２内に収容された表示物３と、を備えている。
【００３９】
本実施の形態では、防水袋２は、防水性を有する長方形状の前面シート２Ａ及び背面シート２Ｂが、左辺、右辺及び下辺に沿ってヒートシールされることによって、上辺側を開口部２ａとするいわゆる三方シール袋として構成されている。理解を容易にするため、図１及び図３において、前面シート２Ａ及び背面シート２Ｂのヒートシール部分２ｂには、ハッチングを付している。なお、前面シート２Ａ及び背面シート２Ｂは、その下辺を折り曲げ線として全体として１枚のシートを構成してもよいし、下辺においても繋がっていない２枚のシートを構成してもよい。
【００４０】
本実施の形態では、シート２Ａ，２Ｂとして、内側のＬＬＤ−ＰＥ（リニアーローデン・ポリエチレン）層と外側のナイロン層とを接着剤で接着したドライラミネートフィルムが用いられている。ナイロン層の内側面の後述する領域には、印刷が施され、印刷が施された領域（印刷領域）が不透明部となる。一方、この印刷が施されていない領域は、無色透明の透明部となる。なお、本発明では、防水袋２を構成するシート材は、このような例に限定されるものではない。
【００４１】
また、本実施の形態では、防水袋２の上辺側の開口部２ａを水密的に開閉可能にする手段として、開口部２ａには、前面シート２Ａの内側にジッパーテープ４Ａが取り付けられとともに、背面シート２Ｂの内側にジッパーテープ４Ｂが取り付けられている。ジッパーテープ４Ａは、２本の雄部材４Ａａ，４Ａｂを備えている。ジッパーテープ４Ｂは、２本の雌部材４Ｂａ，４Ｂｂを備えている。雄部材４Ａａ，４Ａｂと雌部材４Ｂａ，４Ｂｂとは、それぞれ対向する位置に設けられ、それぞれ互いに係脱可能に係合する。ジッパーテープ４Ａ，４Ｂとしては、公知のジッパーテープを用いることができる。本実施の形態では、１対の雄部材４Ａａ及び雌部材４Ｂａともう１対の雄部材４Ａｂ及び雌部材４Ｂｂが設けられており、２本のジッパーによって開閉可能となっているので、開口部２ａを閉じたときの水密性を高めることができる。もっとも、１対のみの雄部材及び雌部材からなる１本のジッパーを用いてもよい。また、本発明では、開口部２ａを開閉可能にする手段は、前述したようなジッパー（チャックと呼ばれる場合もある。）に限らない。
【００４２】
本実施の形態では、前面シート２Ａにおいて、比較的大きい長方形状の領域が透明部２Ａａとなっているとともに、その周囲の全領域が前記印刷領域とされて不透明部となっている。本実施の形態では、背面シート２Ｂの全領域は、前記印刷領域とされて不透明部となっている。図面には示していないが、前面シート２Ａの前記不透明部や背面シート２Ｂの全領域の不透明部に、印刷により広告等を記載してもよい。
【００４３】
また、本実施の形態では、表示物３として、１枚の紙やその他のシートが用いられている。図面には示していないが、表示物３の前面及び背面には、広告を含む表示内容が表示されている。表示物３の前面に記載された広告等の表示内容は、前面シート２Ａの透明部２Ａａを介して外部に臨んでいる。
【００４４】
本実施の形態による販促用防水袋セット１は、販促品として配布される。配布を受けた者は、防水袋２から表示物３を取り除き、図４及び図５に示すように、防水袋２内に防水対象５を収容する。図４は、本実施の形態による販促用防水袋セット１の配布後の使用状態の一例を示す前面側から見た概略正面図である。図５は、図４中のＤ−Ｄ’線に沿った概略断面図である。
【００４５】
本実施の形態では、防水袋２の寸法等は、防水対象５としてスマートフォン等の携帯電子機器を防水袋２内に収容するのに適した寸法等に設定されている。本実施の形態では、前面シート２Ａは、可撓性を有しているので、スマートフォン等の液晶タッチパネルを前面シート２Ａ側にしてスマートフォン等を収容することで、防水袋２内に収容したままスマートフォン等の液晶タッチパネル等を操作することができる。もっとも、本発明では、防水袋２内に収容する防水対象５は、スマートフォン等の携帯電子機器に限らない。
【００４６】
防水袋２は、利便性が高い上に販促品として斬新であるため、欲しがる人が多くなる。このため、本実施の形態による販促用防水袋セット１では、宣伝効果が高まる。また、防水袋２は、袋体であるので、前記特許文献１に開示された防水ケースのように第１及び第２のケース部材で構成する場合に比べて、コストを低減することができる。のみならず、販促品としては、完全防止まで要求されることなく、簡易な防水性があれば十分であるため、この点からも、防水袋２のコストを低減することができる。また、表示物３としては、紙やその他のシートなどを用いることができるので、そのコストも低い。なお、表示物３は、例えば、折り畳んでいない１枚のシートでもよいし、２つ折り以上に折り畳んだシートでもよい。
【００４７】
以上から、本実施の形態によれば、欲しがる人が多くなって宣伝効果を高めることができる低コストの販促品としての販促用防水袋セット１を提供することができる。
【００４８】
また、本実施の形態では、防水袋２はシート状の形態にすることができるとともに、表示物３としてシート状のものであるため、本実施の形態による販促用防水袋セット１は、全体としてもシート状の形態をなし、非常に薄くなっている。したがって、本実施の形態による販促用防水袋セット１は、ポケットティッシュペーパーなどの他の販促品に比べて嵩張らないので、効率良く保管や配布を行うことができる。
【００４９】
防水袋２内に収容する防水対象５が一般的なスマートフォン等の背面側カメラレンズを有する携帯電子機器である場合、当該防水対象５は、前面側の液晶タッチパネルを前面シート２Ａ側にして防水袋２内に収容される。このため、本実施の形態では、透明部２Ａａが防水袋２の前面シート２Ａのみに配置され、背面シート２Ｂには透明部が配置されていないので、背面側カメラレンズが防水袋２の背面シート２Ｂの不透明部で目隠しされることになる。したがって、本実施の形態によれば、海水浴場等における盗撮を防止することができる。
【００５０】
［第２の実施の形態］
【００５１】
図６は、本発明の第２の実施の形態による販促用防水袋セットの背面側から見た概略背面図であり、図３に対応している。図６において、図３中の要素と同一又は対応する要素には同一符号を付し、その重複する説明は省略する。
【００５２】
本実施の形態が前記第１の実施の形態と異なる所は、前記第１の実施の形態では、背面シート２Ｂの全領域が印刷領域とされて不透明部となっているのに対し、本実施の形態では、背面シート２Ｂにおいて、比較的大きい長方形状の領域が透明部２Ｂａとなっているとともにその周囲の全領域が印刷領域とされて不透明部となっている点である。
【００５３】
本実施の形態では、表示物３の前面に記載された広告等の表示内容が、前面シート２Ａの透明部２Ａａを介して外部に臨むのみならず、表示物３の背面に記載された広告等の表示内容が、背面シート２Ｂの透明部２Ｂａを介して外部に臨んでいる。したがって、本実施の形態によれば、表示物３が防水袋２内に収容された状態で見ることができる表示物３の表示内容が増大する。
【００５４】
［第３の実施の形態］
【００５５】
図７は、本発明の第３の実施の形態による販促用防水袋セットの表示物３を示す概略正面図である。図８は、図７に示す表示物３をスマートフォン用スタンド３’に仕立てる途中の状態を示す概略正面図である。図９は、図７に示す表示物３を用いて仕立てられたスマートフォン用スタンド３’の使用状態を示す概略斜視図である。本実施の形態が前記第１の実施の形態と異なる所は、以下に説明する点である。
【００５６】
本実施の形態では、表示物３は、薄板状部材で構成され、前記薄板状部材には、前記薄板状部材を所定の物品に仕立てるための、ミシン目、折り筋及び切り込みのうちの１種以上が形成されている。具体的には、本実施の形態では、前記薄板状部材をスマートフォン用スタンド３’に仕立てるためのミシン目３ａ及び折り筋３ｂが形成されている。なお、表示物３の前面及び背面には、広告を含む表示内容が印刷されているが、図７及び図８では、その表示内容の図示は省略している。
【００５７】
前記薄板状部材としては、例えば、厚紙に印刷したものや、厚紙に印刷し更にポリプロピレン又はポリ塩化ビニルなどのフィルムを貼ったものや、合成紙に印刷し更にポリプロピレン又はポリ塩化ビニルなどのフィルムを貼ったものなどを、用いることができる。
【００５８】
本実施の形態によれば、表示物３を防水袋２から取り出し、表示物３をミシン目３ａに沿って切断し、図８に示すように不要部分を取り除き、折り筋３ｂに沿って折ることで、表示物３をスマートフォン用スタンド３’に仕立てることができる。このスマートフォン用スタンド３’には、図９に示すように、スマートフォン２０を保持させることができる。
【００５９】
本実施の形態によれば、表示物３を前記所定の物品（例えば、スマートフォン用スタンド３’）に仕立てることができるため、当該販促用防水袋セットの魅力をより高めることができる。
【００６０】
［第４の実施の形態］
【００６１】
図１０は、本発明の第４の実施の形態による販促用防水袋セット１１の前面側から見た概略背面図であり、図１に対応している。図１１は、図１０に示す販促用防水袋セット１１の背面側から見た概略背面図であり、図３に対応している。図１０及び図１１において、図１乃至図３中の要素と同一又は対応する要素には同一符号を付し、その重複する説明は省略する。
【００６２】
本実施の形態による販促用防水袋セット１１が前記第１の実施の形態による販促用防水袋セット１と異なる所は、防水袋２が開口部２ａの側方（図示の例では、図１０中の右方であり、図１１中の左方である。）に突出した突片２Ｃを有し、突片２Ｃに貫通孔１２が形成されている点である。
【００６３】
本実施の形態では、突片２Ｃは、前面シート２Ａにおける長方形状から図１０中の右方（図１１中の左方）に円弧状に突出した第１の突出部分２Ａｂと、第１の突出部分２Ａｂに重なりかつ後面シート２Ｂにおける長方形状から図１０中の右方（図１１中の左方）に円弧状に突出した第２の突出部分２Ｂｂと、第１の突出部分２Ａｂと第２の突出部分２Ｂｂとの間においてジッパーテープ４Ａ，４Ｂから突片２Ｃの図１０中の右縁（図１１中の左縁）まで延在して互いにシールされた、ジッパーテープ４Ａ，４Ｂを構成する材料と、から構成されている。
【００６４】
本実施の形態では、ジッパーテープ４Ａ，４Ｂを構成する材料はヒートシール可能な材料で構成されている。この防水袋２は、製造時に、例えば、第１の突出部分２Ａｂにも延在するようにジッパーテープ４Ａが予め取り付けられた前面シート２Ａと、第２の突出部分２Ｂｂにも延在するようにジッパーテープ４Ｂが予め取り付けられた後面シート２Ｂとが、図１０及び図１１中のハッチングで示すヒートシール部分２ｂでヒートシールされる。このヒートシールにより、ジッパーテープ４Ａ，４Ｂを構成する材料が、突片２Ｃにおいて押し潰されてシールされ、突片２Ｃにおける厚さの厚い部分をなす。突片２Ｃにおけるこの厚い部分に貫通孔１２がパンチ等により形成され、突片２Ｃにおける貫通孔１２の周囲に前記材料が存在している。
【００６５】
本実施の形態によれば、前記第１の実施の形態と同様の利点が得られる他、次の利点も得られる。すなわち、貫通孔１２に、紐やカラビナやリング等を通したり、ストラップ等を取り付けたりすることができる。また、本実施の形態によれば、突片２Ｃまで延在したジッパーテープ４Ａ，４Ｂを構成する材料によって、貫通孔１２の周囲が補強されるので、ハトメ等の補強部材を特別に設ける必要がなくなる。したがって、本実施の形態によれば、ハトメ等の補強部材を特別に設けて貫通孔１２の周囲を補強する場合に比べて、コスト低減を図ることができる。
【００６６】
なお、前記第２及び第３の実施の形態において、本実施の形態と同様に、防水袋２に、開口部２ａの側方に突出しかつ貫通孔１２が形成された突片２Ｃを設けてもよい。
【００６７】
［変形例］
【００６８】
本発明では、前述した各実施の形態を、以下に説明するように変形してもよい。
【００６９】
第１の変形例では、防水袋２は、防水袋２内に収容された表示物３に記載された表示内容の一部を目隠しする不透明部を有してもよい。
【００７０】
この場合、防水袋２内に収容された表示物３に記載された表示内容の一部が目隠しされるので、表示物を防水袋から取り出すことで、それまで隠されていた表示内容も見ることができる。これを利用することで多様な宣伝効果等を得ることができる。例えば、例えば、表示物３にクイズの質問とその回答を記載し、防水袋２にその回答のみを目隠しする不透明部を設けたり、表示物３に抽選内容とその抽選結果（当たり・外れ、金賞・銀賞・銅賞など）を記載し、防水袋２にその抽選結果のみを目隠しする不透明部を設けたりすることで、当該販促用防水袋セットの魅力を高めることができる。
【００７１】
第２の変形例では、防水袋２が有する透明部２Ａａの少なくとも一部を有色透明部とし、表示物３に記載された表示内容のうち前記有色透明部を介して外部に臨む部分の一部を、前記有色透明部と同色で記載してもよい。
【００７２】
この場合、防水袋２内に収容された表示物３に記載された表示内容のうち有色透明部と同色で記載されたものは、目隠しされたのと同様に隠されることとなり、表示物３を防水袋２から取り出すことで、それまで隠されていた表示内容も見ることができる。したがって、この場合も、防水袋２が、防水袋２内に収容された表示物３に記載された表示内容の一部を目隠しする不透明部を有する場合と同様に、多様な宣伝効果等を得ることができる。
【００７３】
第３の変形例では、表示物３に芳香物質が付着されるか、あるいは、芳香物質が付着された被付着物が防水袋２内に収容されてもよい。
【００７４】
この場合、当該販促用防水袋セットの配布を受けた者は、防水袋２の開口部２ａを開くことで、芳香物質による良い匂いを嗅ぐことができ、より良い印象を持つ。したがって、この場合には、より宣伝効果が高まる。
【００７５】
第４の変形例では、表示物３と一体化された返信用葉書、あるいは、表示物３と別体の返信用葉書が、防水袋２内に収容されてもよい。
【００７６】
この場合、前記返信用葉書を利用することで、例えば、容易にアンケートを取ったり、容易に懸賞に応募させたりすることができる。
【００７７】
第５の変形例では、防水袋２が紫外線遮断特性を有するシート材を用いて構成されてもよい。このようなシート材は、紫外線遮断特性を有する公知のフィルムを利用したシート材を挙げることができる。
【００７８】
この場合、防水袋２内に収容する防水対象物が、紫外線により劣化等し易い物（例えば、薬品等）であってもその劣化を防止することができ、防水袋２を例えばピルケース等として利用することができる。
【００７９】
第６の変形例では、防水袋２又は表示物３に、１次元バーコード、２次元バーコード又はＩＣタグが設けられてもよい。１次元バーコードや２次元バーコードは、防水袋２又は表示物３に印刷により設けることができる。１次元バーコードや２次元バーコードは、各販促用防水袋セットに共通して同一内容を示すものであってもよいし、各販促用防水袋セット毎に異なる固有の内容を示すものであってもよい。ＩＣタグは、防水袋２又は表示物３に、例えば、シール等により貼り付けて設けてもよい。
【００８０】
この場合、１次元バーコード、２次元バーコード又はＩＣタグを利用することで、例えば、チケットや入場管理などに使用することができる。
【００８１】
第７の変形例では、剥離紙で覆われた粘着剤が一方の面に設けられた磁石シートが、前記防水袋内に収容されてもよい。
【００８２】
この場合、前記剥離紙を剥がして前記磁石シートを防水袋２に貼り付けることで、防水対象を防水袋２内に収容したものを、前記磁石シートの磁力で冷蔵庫等に簡単に貼り付けることができる。したがって、例えば、防水対象がスマートフォン等の携帯電子機器である場合、濡れた手で操作することができ、キッチンで携帯電子機器により表示させたレシピ等を見たりすることができる。
【００８３】
以上、本発明の各実施の形態及び変形例について説明したが、本発明はこれらに限定されるものではない。例えば、防水袋２の形態は、三方シール袋に限らず、角底袋、平底袋、ガゼット型袋、スタンディングパウチなどでもよい。
【符号の説明】
【００８４】
１，１１  販促用防水袋セット
２  防水袋
２ａ  開口部
３  表示物
５  防水対象
【図１】
2017036088.tif 000003
【図２】
2017036088.tif 000004
【図３】
2017036088.tif 000005
【図４】
2017036088.tif 000006
【図５】
2017036088.tif 000007
【図６】
2017036088.tif 000008
【図７】
2017036088.tif 000009
【図８】
2017036088.tif 000010
【図９】
2017036088.tif 000011
【図１０】
2017036088.tif 000012
【図１１】
2017036088.tif 000013